【誤訳訂正書】
【提出日】平成28年7月26日(2016.7.26)
【誤訳訂正１】
【訂正対象書類名】明細書
【訂正対象項目名】全文
【訂正方法】変更
【訂正の内容】
【発明の詳細な説明】
【発明の名称】ＬＴＥに基づくブロードバンドトランキングシステムの発言権プリエンプト実現方法
【技術分野】
【０００１】
本発明はブロードバンドデジタルトランキングシステム分野に関し、特にロングタームエボリューション（Long Term  Evolution、ＬＴＥ）に基づくブロードバンドトランキングシステムの発言権プリエンプト（speaking right seizing）実現方法、移動管理エンティティ（Mobile Management Entity、ＭＭＥ）、ネットワークサブシステム、ブロードバンド無線アクセスサブシステム及びＬＴＥに基づくブロードバンドトランキングシステムに関する。
【背景技術】
【０００２】
通信技術の発展及び人々のトランキングシステムについての絶え間ない理解の深化に伴って、トランキングシステムが効率的な緊急指揮スケジューリングシステムとして発揮する作用はますます大きくなる。トランキング通信システムは、政府機関、公衆安全、緊急通信、電力、民間航空、石油化学工業及び軍隊等の分野に幅広く応用されている。トランキングシステムの発展は、シミュレートトランキングシステム及びナローバンドデジタルトランキングシステム段階を経て、そのうち２つの段階のトランキングシステムはいずれも多くの短所が存在し、シミュレートトランキングシステムは、干渉が大きく、ブラインドゾーンが多く、周波数に限りがある等の欠点が存在し、ナローバンドデジタルトランキングシステムは、通信品質及び通信容量上で、シミュレートトランキングシステムに対してある程度向上したが、データ伝送能力及びマルチメディアサービスのバックアップ能力の面で、比較的弱く、且つナローバンドデジタルトランキングシステムのＬＴＥに基づくブロードバンドデジタルトランキングシステムへの進化は一定の困難を有する。
【０００３】
従来、ＬＴＥに基づくブロードバンドデジタルトランキングシステムは次世代トランキングシステムの発展の方向になり、ＬＴＥに基づくブロードバンドデジタルトランキングシステムに対して、国内では関連の標準の検討中であり、且つオペレータ及び企業はできるだけ従来のＬＴＥネットワーク及び技術の基礎で相応する修正又は拡張を行ってＬＴＥに基づくブロードバンドデジタルトランキングシステムの展開を完成することを希望し、このように従来のＬＴＥネットワーク及び技術を確実に利用することがきるとともに、オペレータ及び企業が投入コストを最小限に抑え、従って、どのように従来のＬＴＥネットワーク及び技術を利用してＬＴＥブロードバンドデジタルトランキングシステムに基づくアーキテクチャを展開し、且つトランキングサービスの発言権プリエンプトを実現するかは解決すべき問題になった。
【発明の概要】
【発明が解決しようとする課題】
【０００４】
本発明の実施例はＬＴＥに基づくブロードバンドトランキングシステムの発言権プリエンプト実現方法、ＭＭＥ、ネットワークサブシステム、ブロードバンド無線アクセスサブシステム及びＬＴＥに基づくブロードバンドトランキングシステムを提供しており、どのように従来のＬＴＥネットワーク及び技術を利用してＬＴＥブロードバンドデジタルトランキングシステムに基づくアーキテクチャの展開を実現し及びトランキングサービスの発言権プリエンプトを実現する問題を解決する。
【課題を解決するための手段】
【０００５】
本発明の実施例はロングタームエボリューションＬＴＥに基づくブロードバンドトランキングシステムの発言権プリエンプト実現方法を提供しており、そのうち、該ＬＴＥに基づくブロードバンドトランキングシステムは、共通グループに位置する発言権端末及び発言権プリエンプト端末、ブロードバンド無線アクセスサブシステム、ネットワークサブシステム及びトランキングスケジューリング管理センターを備え、該方法は、
前記ブロードバンド無線アクセスサブシステムが、前記ネットワークサブシステムにトランキング発言権更新請求を送信し、前記ネットワークサブシステムが返したトランキング発言権更新受け入れメッセージを受信し、且つ発言権プリエンプト端末に前記トランキング発言権更新受け入れメッセージを送信すること、
前記ブロードバンド無線アクセスサブシステム、前記ネットワークサブシステム及び前記発言権端末がインタラクションしてトランキング発言権コンテキストの修正を完成すること、及び
前記ブロードバンド無線アクセスサブシステムが、前記ネットワークサブシステムが送信した発言権占用のプロンプトメッセージを受信し、且つ強化されたマルチメディア放送マルチキャストサービス（enhanced Multimedia Broadcast Multicast Service、ｅＭＢＭＳ）のマルチキャスト制御チャネルにより前記発言権端末及び前記発言権プリエンプト端末にトランキング発言権占用のプロンプトメッセージ及び更新設定情報を送信することを含む。
【０００６】
該方法では、前記ブロードバンド無線アクセスサブシステムは前記ネットワークサブシステムにトランキング発言権更新請求を送信する前、
前記ブロードバンド無線アクセスサブシステムが前記発言権プリエンプト端末、前記ネットワークサブシステム及び前記トランキングスケジューリング管理センターとインタラクションすることにより、デフォルトベアラーの作成を完成すること、及び
前記ネットワークサブシステムがトランキング専用ベアラーの作成を完成するように、前記ブロードバンド無線アクセスサブシステムが、前記発言権プリエンプト端末が送信したトランキング専用発言権要求を前記ネットワークサブシステムにトランスペアレントすることを更に含んでもよい。
【０００７】
前記ブロードバンド無線アクセスサブシステムが前記発言権プリエンプト端末、前記ネットワークサブシステム及び前記トランキングスケジューリング管理センターとインタラクションすることにより、デフォルトベアラーの作成を完成することは、  
前記ブロードバンド無線アクセスサブシステムが前記発言権プリエンプト端末が送信したトランキング発言権申込要求を受信し、前記ネットワークサブシステムにより前記トランキングスケジューリング管理センターに該トランキング発言権申込要求を送信すること、及び
前記ネットワークサブシステムが、前記トランキングスケジューリング管理センターが送信したトランキングコンテキスト作成要求を受信し、前記ブロードバンド無線アクセスサブシステム及び前記プリエンプト端末とインタラクションしてデフォルトベアラーの作成を完成することを含んでもよく、そのうち、該トランキングコンテキスト作成要求は、前記トランキングスケジューリング管理センターが該トランキング発言権申込要求を受信した後、前記プリエンプト端末を認証、認可及びポリシー判定した後送信したものである。
【０００８】
前記ブロードバンド無線アクセスサブシステムが、前記ネットワークサブシステムにトランキング発言権更新請求を送信し、前記ネットワークサブシステムが返したトランキング発言権更新受け入れメッセージを受信することは、  
前記ブロードバンド無線アクセスサブシステムが、前記ネットワークサブシステムにトランキング発言権更新請求を送信し、前記ネットワークサブシステムが、前記トランキング発言権更新請求に基づいて前記トランキングスケジューリング管理センターとトランキング発言権の情報更新を行った後、前記トランキングスケジューリング管理センターが返した前記トランキング発言権更新受け入れメッセージを受信し、前記ブロードバンド無線アクセスサブシステムが、前記ネットワークサブシステムが返した前記トランキング発言権更新受け入れメッセージを受信することを含んでもよい。
【０００９】
前記ブロードバンド無線アクセスサブシステム、前記ネットワークサブシステム及び前記発言権端末がインタラクションしてトランキング発言権コンテキストの修正を完成することは、
前記ブロードバンド無線アクセスサブシステムが、前記ネットワークサブシステムが送信したトランキング発言権コンテキストの修正要求を受信すること、
前記ブロードバンド無線アクセスサブシステム、前記ネットワークサブシステム及び前記発言権端末がインタラクションして前記発言権端末のベアラー及びエアインタフェースリソースのリリースを完成すること、及び
前記ブロードバンド無線アクセスサブシステムが、前記ネットワークサブシステムにトランキング発言権コンテキスト修正完成メッセージを送信することを含んでもよい。
【００１０】
本発明の実施例はロングタームエボリューションＬＴＥに基づくブロードバンドトランキングシステムの発言権プリエンプト実現方法を更に提供しており、そのうち、該ＬＴＥに基づくブロードバンドトランキングシステムは、共通グループに位置する発言権端末及び発言権プリエンプト端末、ブロードバンド無線アクセスサブシステム、ネットワークサブシステム及びトランキングスケジューリング管理センターを備え、該方法は、
前記ネットワークサブシステム及び前記トランキングスケジューリング管理センターがトランキング発言権の情報更新を行い、且つ前記ブロードバンド無線アクセスサブシステムにより前記発言権プリエンプト端末に前記トランキング発言権更新受け入れメッセージを送信すること、
前記ネットワークサブシステム、前記ブロードバンド無線アクセスサブシステム及び前記発言権端末がインタラクションしてトランキング発言権コンテキストの修正を完成すること、及び
前記ブロードバンド無線アクセスサブシステムが強化されたマルチメディアマルチキャストサービスｅＭＢＭＳのマルチキャスト制御チャネルにより、前記発言権プリエンプト端末及び前記発言権端末にトランキング発言権占用のプロンプトメッセージ及び更新設定情報を送信するように、前記ネットワークサブシステムがブロードバンド無線アクセスサブシステムに発言権占用のプロンプトメッセージを送信することを含む。
【００１１】
前記方法は、前記ネットワークサブシステム及び前記トランキングスケジューリング管理センターはトランキング発言権の情報更新を行う前、前記ネットワークサブシステムが発言権プリエンプト端末、前記ブロードバンド無線アクセスサブシステム及び前記トランキングスケジューリング管理センターとインタラクションすることにより、前記ブロードバンド無線アクセスサブシステムと前記発言権プリエンプト端末との間のデフォルトベアラーの作成を完成すること、及び
前記ネットワークサブシステムが、前記発言権プリエンプト端末が前記ブロードバンド無線アクセスサブシステムによりトランスペアレントしたトランキング専用発言権要求を受信し、且つ前記ブロードバンド無線アクセスサブシステム及び前記発言権プリエンプト端末とインタラクションしてトランキング専用ベアラーの作成を完成することを更に含んでもよい。
【００１２】
前記ネットワークサブシステムが発言権プリエンプト端末、前記ブロードバンド無線アクセスサブシステム及び前記トランキングスケジューリング管理センターとインタラクションすることにより、前記ブロードバンド無線アクセスサブシステムと前記発言権プリエンプト端末との間のデフォルトベアラーの作成を完成することは、
前記ネットワークサブシステムが、前記発言権プリエンプト端末が前記ブロードバンド無線アクセスサブシステムにより送信したトランキング発言権申込要求を受信し、且つ前記トランキングスケジューリング管理センターに該トランキング発言権申込要求を送信すること、及び
前記ネットワークサブシステムが、前記トランキングスケジューリング管理センターが送信したトランキングコンテキスト作成要求を受信し、且つ前記ブロードバンド無線アクセスサブシステム及び前記発言権プリエンプト端末とインタラクションしてデフォルトベアラーの作成を完成することを含んでもよく、そのうち、該トランキングコンテキスト作成要求は、前記トランキングスケジューリング管理センターが該トランキング発言権申込要求を受信した後、前記発言権プリエンプト端末を認証、認可及びポリシー判定した後送信したものである。
【００１３】
前記ネットワークサブシステムが前記ブロードバンド無線アクセスサブシステムにより前記発言権プリエンプト端末に前記トランキング発言権更新受け入れメッセージを送信することは、
前記ネットワークサブシステムが、前記トランキングスケジューリング管理センターが送信したトランキング発言権更新受け入れメッセージを受信し、前記ブロードバンド無線アクセスサブシステムにより前記発言権プリエンプト端末に前記トランキング発言権更新受け入れメッセージを送信することを含んでもよい。
【００１４】
前記ネットワークサブシステム、前記ブロードバンド無線アクセスサブシステム及び前記発言権端末がインタラクションしてトランキング発言権コンテキストの修正を完成することは、
前記ネットワークサブシステムが前記ブロードバンド無線アクセスサブシステムにトランキング発言権コンテキストの修正要求を送信すること、
前記ネットワークサブシステム、前記ブロードバンド無線アクセスサブシステム及び前記発言権端末がインタラクションして前記発言権端末のベアラー及びエアインタフェースリソースのリリースを完成すること、及び
前記ネットワークサブシステムが、前記ブロードバンド無線アクセスサブシステムが送信したトランキング発言権コンテキスト修正完成メッセージを受信することを含んでもよい。
【００１５】
本発明の実施例はロングタームエボリューションＬＴＥに基づくブロードバンドトランキングシステム中に応用される移動管理エンティティＭＭＥを更に提供しており、該ＭＭＥは、
発言権プリエンプト端末、該発言権プリエンプト端末の所属の第１基地局及びトランキングスケジューリング管理センターとインタラクションすることにより、前記第１基地局と前記発言権プリエンプト端末との間のデフォルトベアラーの作成を完成するように設置される第１作成モジュール、
前記第１基地局、該ＭＭＥとともに共通ネットワークサブシステムに位置するサービスゲートウェイ（Service Gateway、ＳＧＷ）及びパケットデータネットワークゲートウェイ（Packet Data Network Gateway、ＰＤＮ−ＧＷ又はＰ−ＧＷ）とインタラクションすることにより、トランキング専用発言権プリエンプトベアラーの作成を完成するように設置される第２作成モジュール、
マルチメディア放送マルチキャストサービスゲートウェイ（Multimedia Broadcast Multicast Service-Gateway、ＭＢＭＳ−ＧＷ）、前記ＳＧＷ及び前記トランキングスケジューリング管理センターとインタラクションすることにより、トランキング発言権更新を完成し、且つ前記第１基地局により前記発言権プリエンプト端末にトランキング発言権要求受け入れメッセージを送信するように設置される更新モジュール、
発言権端末及び該発言権端末の所属の第２基地局とインタラクションすることにより、トランキング発言権コンテキストの修正を完成するように設置される修正モジュール、及び
前記第１基地局及び前記第２基地局はマルチキャスト放送単一周波数ネットワーク（Multicast Broadcast Single Frequency Network、ＭＢＳＦＮ）領域の制御チャネルによりトランキング領域内のすべての端末に発言権占用及び更新設定情報を通知するように、前記第１基地局及び前記第２基地局にトランキング発言権占用プロンプトを送信するように設置される占用モジュールを備える。
【００１６】
前記第１作成モジュールは、
発言権プリエンプト端末が前記第１基地局により送信したトランキング発言権申込要求を受信し、且つ前記トランキングスケジューリング管理センターに該トランキング発言権申込要求を送信し、そのうち、前記トランキング発言権申込要求中にはトランキングセッション識別子を含み、及び
前記トランキングスケジューリング管理センターが送信したトランキングコンテキスト作成要求を受信し、且つ前記第１基地局及び前記発言権プリエンプト端末とインタラクションしてデフォルトベアラーの作成を完成し、そのうち、該トランキングコンテキスト作成要求は前記トランキングスケジューリング管理センターが該トランキング発言権申込要求を受信した後、前記発言権プリエンプト端末を認証、認可及びポリシー判定した後送信したものである、という方式で、発言権プリエンプト端末、前記発言権プリエンプト端末の所属第１基地局及びトランキングスケジューリング管理センターとインタラクションすることにより、前記第１基地局と前記発言権プリエンプト端末との間のデフォルトベアラーの作成を完成するように設置されてもよい。
【００１７】
前記第２作成モジュールは、
前記発言権プリエンプト端末が前記第１基地局によりトランスペアレントしたトランキング専用発言権プリエンプト要求メッセージを受信し、
前記ＳＧＷ及び前記Ｐ−ＧＷとインタラクションして発言権ユーザのベアラー作成を行い、
前記第１基地局にトランキング専用発言権プリエンプトベアラー作成要求を送信し、及び
前記第１基地局が前記トランキング専用発言権プリエンプトベアラー作成要求に基づいて設定を完成した後送信したトランキング専用発言権プリエンプトベアラー作成完成メッセージを受信するという方式で、前記第１基地局、前記ＭＭＥとともに共通ネットワークサブシステムに位置するＳＧＷ及びＰ−ＧＷとインタラクションすることにより、トランキング専用発言権プリエンプトベアラーの作成を完成するように設置されてもよい。
【００１８】
前記更新モジュールは、
前記ＳＧＷにトランキング発言権更新請求を送信し、及び前記ＳＧＷが返したトランキング発言権更新レスポンスメッセージを受信し、
前記ＭＢＭＳ−ＧＷにより前記トランキングスケジューリング管理センターにトランキング発言権更新請求を送信し、前記トランキングスケジューリング管理センターが返したトランキング発言権更新受け入れ要求を受信し、及び
前記第１基地局により前記発言権プリエンプト端末にトランキング発言権要求受け入れメッセージを送信するという方式で、ＭＢＭＳ−ＧＷ、前記ＳＧＷ及び前記トランキングスケジューリング管理センターとインタラクションすることにより、トランキング発言権更新を完成し、且つ前記第１基地局により前記発言権プリエンプト端末にトランキング発言権要求受け入れメッセージを送信するように設置されてもよい
。
【００１９】
前記修正モジュールは、
前記第２基地局にトランキング発言権コンテキストの修正要求を送信し、
前記第２基地局とともに該発言権端末のベアラーコンテキストをリリースし、及び
前記第２基地局が該発言権端末の接続をリリースし終わった後返したトランキング発言権コンテキスト修正レスポンスメッセージを受信するという方式で、発言権端末及び前記発言権端末の所属の第２基地局とインタラクションすることにより、トランキング発言権コンテキストの修正を完成するように設置されてもよい。
【００２０】
本発明の実施例はネットワークサブシステムを更に提供しており、移動管理エンティティＭＭＥ、該ＭＭＥに接続するサービスゲートウェイＳＧＷ、放送マルチキャストサービスセンター（Broadcast Multicast Service Center、ＢＭ−ＳＣ）及びホームユーザサーバ（Home Subscriber Server、ＨＳＳ）、前記ＢＭ−ＳＣに接続するマルチメディア放送マルチキャストサービスゲートウェイＭＢＭＳ−ＧＷ、及び前記ＢＭ−ＳＣ及び前記ＳＧＷにいずれも接続するパケットデータネットワークゲートウェイＰ−ＧＷを備え、そのうち、
該ＭＭＥは、上記ＭＭＥであり、
前記ＭＢＭＳ−ＧＷは、マルチキャストアドレス保存、データディストリビューション及びトランキングサービスセッション制御コマンドの処理を担当するように設置され、
前記Ｐ−ＧＷは、トランキングスケジューリング管理センターが送信したトランキングサービスベアラー作成要求を受信し、及び、前記ＭＭＥが処理したユーザ装置（User Equipment、ＵＥ）が送信したトランキングサービス要求情報を前記トランキングスケジューリング管理センターに転送するように設置され、及び
前記ＨＳＳは、端末が属する基地局情報及び端末が属するグループの標識を保存するように設置される。
【００２１】
本発明の実施例はブロードバンド無線アクセスサブシステムを更に提供しており、マルチセル又はマルチキャスト協働エンティティ（Multicast Cooperation Entity、ＭＣＥ）及び複数基地局を備え、そのうち、
前記基地局は、トランキングサービスセッションに無線ベアラーを作成し、設定した無線ベアラー情報を該基地局サービスの端末に通知するように設置され、及び
前記ＭＣＥは、マルチキャスト放送単一周波数ネットワークＭＢＳＦＮ領域下で、前記基地局に対してＭＢＳＦＮ送信を行うトランキングサービスセッションの無線リソースの割当を担当するように設置される。
【００２２】
前記ＭＣＥは、移動管理エンティティＭＭＥからのトランキングサービスセッションスタート要求を受信し、サービス品質に基づいて無線リソースのスケジューリング制御情報を生成し、且つ前記基地局に前記スケジューリング制御情報を送信するようにさらに設置されてもよい。
【００２３】
前記基地局は、
前記ＭＭＥが送信したトランキング発言権コンテキストの修正要求を受信し、前記ＭＭＥとともに発言権端末のベアラーコンテキストをリリースし、該基地局がサービスする発言権端末に対して無線リソース制御（Radio Resource Control、ＲＲＣ）接続リリースを行い、及び前記ＭＭＥにトランキング発言権コンテキストの修正要求レスポンスを返す、又は
前記ＭＭＥが送信したトランキング専用発言権プリエンプトベアラー作成要求を受信し、該基地局がサービスする発言権プリエンプト端末とＲＲＣ接続再設定の作成を行い、及び前記ＭＭＥにトランキング専用発言権プリエンプトベアラー作成完成メッセージを返すようにさらに設置されてもよい。
【００２４】
本発明の実施例はロングタームエボリューションＬＴＥに基づくブロードバンドトランキングシステムを更に提供しており、順に接続される端末、ブロードバンド無線アクセスサブシステム、ネットワークサブシステム及びトランキングスケジューリング管理センター、及び前記ブロードバンド無線アクセスサブシステム及び前記ネットワークサブシステムにいずれも接続する操作メインテナンスサブシステムを備え、そのうち、
前記ブロードバンド無線アクセスサブシステムは、上記ブロードバンド無線アクセスサブシステムであり、
前記ネットワークサブシステムは、上記ネットワークサブシステムであり、
前記トランキングスケジューリング管理センターは、トランキングサービス発言権管理及びスケジューリング、トランキングシングルコール又はグループコールの権限管理、トランキングサービスのサービスタイプの割り当て及びトランキングサービスのサービス品質設定を完成することを担当するように設置され、及び
前記操作メインテナンスサブシステムは、トランキングユーザのアカウント作成、アカウントキャンセル及びユーザサービス権限の各種の操作を完成し、及び前記ブロードバンド無線アクセスサブシステム及び前記ネットワークサブシステムの設備に対してパラメータの設定及び性能と安全の管理を行うことを担当するように設置される。
【００２５】
該システムは、前記ネットワークサブシステムと前記トランキングスケジューリング管理センターとの間に位置するインタネットプロトコルマルチメディアサブシステム（Internet Protocol Multimedia Subsystem、ＩＭＳ）を更に含んでもよく、そのうち、
前記ＩＭＳはトランキング機能にプロトコル及びフローバックアップを提供するように設置される。
【発明の効果】
【００２６】
上記ＬＴＥに基づくブロードバンドトランキングシステムは、ｅＭＢＭＳ技術及びネットワークエレメントを結び付けて展開され、新しいネットワークエレメント設備を増加する必要がない場合、ｅＭＢＭＳ下りリンクのマルチキャスト技術を十分に利用することによりトランキングシステムのポイントツーマルチポイントの特性を満たすことができ、さらに一部のサブネットワークエレメントの機能を修正又は拡張するだけでＬＴＥに基づくブロードバンドデジタルトランキングシステムを展開することができ、後にパブリックネットワークと所定の融合を行うこともでき、同時にその基礎でＬＴＥブロードバンドトランキングサービスに基づく発言権プリエンプトフローを実現することができる。
【図面の簡単な説明】
【００２７】
【図１】図１は、本発明の実施例のＬＴＥに基づくブロードバンドデジタルトランキングシステムのアーキテクチャ模式図である。
【図２】図２は、本発明の実施例のＬＴＥに基づくブロードバンドデジタルトランキングシステムの発言権プリエンプトの実現方法のフローチャート（一）である。
【図３】図３は、本発明の実施例のＬＴＥに基づくブロードバンドデジタルトランキングシステムの発言権プリエンプトの実現方法のフローチャート（二）である。
【図４】図４は、本発明の実施例のＬＴＥに基づくブロードバンドデジタルトランキングシステムの発言権プリエンプト過程の全体シグナリングフローチャートである。
【図５】図５は、本発明の実施例のＬＴＥに基づくブロードバンドデジタルトランキングシステムの発言権プリエンプトのシグナリングフローチャートである。
【図６】図６は、本発明の実施例のＭＭＥのアーキテクチャ模式図である。
【発明を実施するための形態】
【００２８】
以下、図面を参照しながら本発明の実施例を詳細に説明する。ただし、矛盾がない場合、本願における実施例及び実施例における特徴は互いに任意に組み合せることができる。
【００２９】
図１に示すように、図１は本発明の実施例のＬＴＥに基づくブロードバンドデジタルトランキングシステムのアーキテクチャ模式図であり、該システムは、端末１０１、ブロードバンド無線アクセスサブシステム１０２、ネットワークサブシステム１０３、ＩＭＳ１０４、トランキングスケジューリング管理センター１０５及び操作メインテナンスサブシステム１０６を備え、トランキングスケジューリング管理センター１０５はＩＭＳ１０４と同じ機能を完成することができる場合は、ＩＭＳ１０４を展開しなくてもよい。
【００３０】
そのうち、上記端末１０１は、共通グループに位置する発言権端末及び発言権プリエンプト端末を備え、上記端末は手持ち端末、車載局、固定局又は無線スケジューリング局であってもよい。
【００３１】
上記ブロードバンド無線アクセスサブシステム１０２は、複数の進化型基地局（ｅＮｏｄｅＢ）及びマルチセル又はＭＣＥを備え、ｅＮｏｄｅＢは、トランキングサービスセッションに無線ベアラーを作成し、且つ設定無線ベアラー情報を端末１０１に通知する。ＭＣＥは、ＭＢＳＦＮ領域下でｅＮｏｄｅＢに対してＭＢＳＦＮ送信のトランキングサービスセッションの無線リソースの割当を行うことを担当し、時間領域リソース割当及びコーディング変調方式の選択を含み、ＭＣＥは、ＭＭＥが送信したトランキングサービスセッション制御シグナリングの伝送を更に担当する。
【００３２】
ＭＣＥは  Ｍ３インターフェースからのトランキングサービスセッションスタート要求を受信し、サービス品質（Quality of Service、Ｑｏｓ）に基づいて無線リソースのスケジューリング制御情報を生成し、且つＭ２インターフェースによりｅＮｏｄｅＢに送信する。ＭＣＥ及びｅＮｏｄｅＢは、Ｍ２インターフェースにより接続される。
【００３３】
前記手持ち移動局、車載局、固定局及び無線スケジューリング局は、ＬＴＥ−Ｕｕインターフェースによりブロードバンド無線アクセスサブシステム１０２と無線リソースを共有する。
上記ネットワークサブシステム１０３は  ＭＭＥ、ＳＧＷ、ＨＳＳ、ＢＭ−ＳＣ、ＭＢＭＳ−ＧＷ及びＰ−ＧＷを含む。
【００３４】
そのうち、Ｐ−ＧＷは、それぞれ異なるトランキングサービス放送特性ゲートウェイと接続してバックアップし、Ｐ−ＧＷは、トランキング要求サービス要求の放送特性に基づいて、それぞれＳＧＷ又はＢＭ−ＳＣに要求してトランキングサービスの無線アクセスベアラーを作成させる。ＢＭ−ＳＣは、トランキングサービスデータマルチキャストの根源として、トランキングサービスのアグリゲーション及び送信、トランキングサービスの権限、ベアラー作成の開始及びセッション制御を提供する。ＭＢＭＳ−ＧＷは、マルチキャストアドレスの保存、データディストリビューション及びトランキングサービスセッション制御コマンドの処理を担当する。ＭＭＥは、トランキングサービスセッション制御ノードであり、作成されたグループコール情報をキャッシュし、各種トランキングサービスの作成、メインテナンス及びリリースを担当する。ＭＭＥは  ＳＧＷ又はＭＢＭＳ−ＧＷからのトランキングサービスのサービス要求を受信し、トランキングサービスのサービス品質及び伝送ベアラー情報を設定し、且つＳ１インターフェース又はＭ３インターフェースによりトランキングサービス無線アクセスベアラーの作成を制御し、同時に、ＭＭＥも受信したＵＥのトランキングサービス要求をＰＤＮ−ＧＷに転送する。ＨＳＳは、端末ユーザのホーム加入情報を記憶し、トランキング機能をバックアップするために、トランキングサービスをバックアップするモジュールを追加し、該モジュールはＵＥが属するｅＮｏｄｅＢ情報及び該ＵＥが属するグループ識別子（例えば、一時移動グループ識別子（Temporary Mobile Group Identity、ＴＭＧＩ））を記憶し、すなわち、｛グループ識別子、グループサービスディストリビューション領域情報、端末リスト情報｝を記憶することができる。ＳＧＷは、ブロードバンド無線アクセスサブシステム１０２に接続するメディアデータインターフェースの終点であり、主にデータパケットのルータ及び転送を担当する。
【００３５】
ＭＭＥは、Ｓ１１インターフェースによりＳＧＷに接続し、ＭＭＥは、Ｓ６ａインターフェースによりＨＳＳに接続し、ＭＭＥはＳｍインターフェースによりＢＭ−ＳＣに接続し、ＳＧＷは、Ｓ５インターフェースによりＰ−ＧＷに接続し、ＢＭ−ＳＣは、ＳＧｉインターフェースによりＰ−ＧＷに接続し、ＢＭ−ＳＣは、ＳＧｍｂ及びＳＧｉｍｂインターフェースによりＭＢＭＳ−ＧＷに接続する。ｅＮｏｄｅＢは、Ｍ１インターフェースによりＭＢＭＳ−ＧＷに接続し、ＭＣＥは、Ｍ３インターフェースによりＭＭＥに接続する。
【００３６】
上記トランキングスケジューリング管理センター１０５は、ＰＤＮ−ＧＷに接続し、トランキングサービス発言権管理及びスケジューリング、トランキングシングルコール／グループコールの権限管理、トランキングサービスのサービスタイプ割り当て及びトランキングサービスのサービス品質設定を完成することを担当し、この他、ユーザ端末及び無線スケジューリング局の認可に対して、それはＰ−ＧＷの入り口である。トランキングアプリケーションサーバは無線プッシュトゥトーク（Push-to-Talk over Cellular、ＰｏＣ）に基づくアプリケーションサーバ、グローバルオープントランキングアーキテクチャ（Global Open Trunking Architecture、ＧＯＴＡ）に基づくトランキングアプリケーションサーバ及び他のタイプのトランキングアプリケーションサーバを含む。他のタイプのトランキングアプリケーションサーバは後続拡張を行ってセッション制御機能を完成することができると、ＩＭＳ１０４を展開する必要がなく、セッション初期化プロトコル（Session Initial Protocol、ＳＩＰ）シグナリングを必要とせず、プライベートシグナリングを使用することができる。
【００３７】
トランキングスケジューリング管理センター１０５は、ＰＤＮ−ＧＷにトランキングサービスベアラー作成要求を通知し、同時にＰＤＮ−ＧＷは、ＭＭＥが処理したＵＥが送信したトランキングサービス要求情報をトランキングスケジューリング管理センター１０５に転送する。
【００３８】
さらに、上記操作メインテナンスサブシステム１０６は、主にユーザデータに対する管理機能を完成し、トランキングユーザのアカウント作成、アカウントキャンセル及びユーザサービス権限の修正等の操作を行うことができ、同時にブロードバンド無線アクセスサブシステム１０２及びネットワークサブシステム１０３の設備のパラメータ設定、性能及び安全を管理することができる。
【００３９】
図１に示すブロードバンドトランキングシステムに基づいて、本発明の実施例は発言権プリエンプトの実現方法を提供しており、該方法はブロードバンド無線アクセスサブシステムの角度から記述し、図２に示すように、下記のステップを含む。
【００４０】
ステップ２０１：ブロードバンド無線アクセスサブシステムは、前記ネットワークサブシステムにトランキング発言権更新請求を送信し、前記ネットワークサブシステムが返したトランキング発言権更新受け入れメッセージを受信し、且つ発言権プリエンプト端末に前記トランキング発言権更新受け入れメッセージを送信する。
【００４１】
そのうち、前記トランキング発言権更新受け入れメッセージは、前記ネットワークサブシステムが前記トランキング発言権更新請求及び前記トランキングスケジューリング管理センターに基づいてトランキング発言権の情報更新を行った後に前記トランキングスケジューリング管理センターが返したものである。
【００４２】
該ステップ２０１の前、前記ブロードバンド無線アクセスサブシステムは、前記発言権プリエンプト端末、前記ネットワークサブシステム及び前記トランキングスケジューリング管理センターとインタラクションすることにより、デフォルトベアラーの作成を完成すること、及び、前記ネットワークサブシステムがトランキング専用ベアラーの作成を完成するように、前記ブロードバンド無線アクセスサブシステムは、前記発言権プリエンプト端末が送信したトランキング専用発言権要求を、前記ネットワークサブシステムにトランスペアレントすることを更に含んでもよい。
【００４３】
ステップ２０２：ブロードバンド無線アクセスサブシステム、前記ネットワークサブシステム及び前記発言権端末は、インタラクションしてトランキング発言権コンテキストの修正を完成する。
【００４４】
ステップ２０３：ブロードバンド無線アクセスサブシステムは、前記ネットワークサブシステムが送信した発言権占用のプロンプトメッセージを受信し、且つｅＭＢＭＳのマルチキャスト制御チャネルにより前記発言権端末及び前記発言権プリエンプト端末にトランキング発言権占用のプロンプトメッセージ及び更新設定情報を送信する。
【００４５】
同様に、図１に示すブロードバンドトランキングシステムに基づいて、本発明の実施例は発言権プリエンプトの実現方法を更に提供しており、該方法はネットワークサブシステムの角度から記述し、図３に示すように、下記のステップを含む。
【００４６】
ステップ３０１：ネットワークサブシステムは、発言権プリエンプト端末、前記ブロードバンド無線アクセスサブシステム及び前記トランキングスケジューリング管理センターとインタラクションすることにより、前記ブロードバンド無線アクセスサブシステムと前記発言権プリエンプト端末との間のデフォルトベアラーの作成を完成する。
【００４７】
該ステップ３０１では、前記ネットワークサブシステムは、前記発言権プリエンプト端末が前記ブロードバンド無線アクセスサブシステムにより送信したトランキング発言権申込要求を受信し、且つ前記トランキングスケジューリング管理センターに該トランキング発言権申込要求を送信すること、及び、前記ネットワークサブシステムは、前記トランキングスケジューリング管理センターが送信したトランキングコンテキスト作成要求を受信し、且つ前記ブロードバンド無線アクセスサブシステム及び前記発言権プリエンプト端末とインタラクションしてデフォルトベアラーの作成を完成することを含み、そのうち、該トランキングコンテキスト作成要求は、前記トランキングスケジューリング管理センターが該トランキング発言権申込要求を受信した後、前記発言権プリエンプト端末を認証、認可及びポリシー判定した後に送信したものである。
【００４８】
ステップ３０２：前記ネットワークサブシステムは、前記発言権プリエンプト端末が前記ブロードバンド無線アクセスサブシステムによりトランスペアレントしたトランキング専用発言権要求を受信し、且つ前記ブロードバンド無線アクセスサブシステム及び前記発言権プリエンプト端末とインタラクションしてトランキング専用ベアラーの作成を完成する。
【００４９】
上記ステップ３０１及びステップ３０２は、任意選択のステップである。
【００５０】
ステップ３０３：前記ネットワークサブシステム及び前記トランキングスケジューリング管理センターは、トランキング発言権の情報更新を行い、且つ前記ブロードバンド無線アクセスサブシステムにより前記発言権プリエンプト端末に前記トランキング発言権更新受け入れメッセージを送信する。
【００５１】
該ステップ３０３は、前記ネットワークサブシステムは、前記トランキングスケジューリング管理センターが送信したトランキング発言権更新受け入れメッセージを受信し、前記ブロードバンド無線アクセスサブシステムにより前記発言権プリエンプト端末に前記トランキング発言権更新受け入れメッセージを送信することを含む。
【００５２】
ステップ３０４：前記ネットワークサブシステム、前記ブロードバンド無線アクセスサブシステム及び前記発言権端末は、インタラクションしてトランキング発言権コンテキストの修正を完成する。
【００５３】
該ステップ３０４は、前記ネットワークサブシステムは、前記ブロードバンド無線アクセスサブシステムにトランキング発言権コンテキストの修正要求を送信すること、前記ネットワークサブシステム、前記ブロードバンド無線アクセスサブシステム及び前記発言権端末は、インタラクションして発言権端末のベアラー及びエアインタフェースリソースのリリースを完成すること、及び、前記ネットワークサブシステムは、前記ブロードバンド無線アクセスサブシステムが送信したトランキング発言権コンテキスト修正完成メッセージを受信することを含んでもよい。
【００５４】
ステップ３０５：前記ブロードバンド無線アクセスサブシステムはｅＭＢＭＳのマルチキャスト制御チャネルにより、前記発言権プリエンプト端末及び前記発言権端末にトランキング発言権占用のプロンプトメッセージ及び更新設定情報を送信するように、ネットワークサブシステムは、ブロードバンド無線アクセスサブシステムに発言権占用のプロンプトメッセージを送信する。
【００５５】
以下、端末及びネットワークサブシステム、ブロードバンド無線アクセスサブシステム及びトランキングスケジューリング管理センターのインタラクションの角度から、本発明の実施例の技術的解決手段を詳細に記述する。
【００５６】
図４に示すように、ＬＴＥブロードバンドトランキングシステムに基づく発言権プリエンプト過程は下記ステップを含む。
【００５７】
ステップ４０１：端末ユーザはプッシュトゥトーク（Push to Talk、ＰＴＴ）キーを押し、ブロードバンド無線アクセスサブシステムとインタラクションしてエアインタフェースリソースの作成を完成する。
【００５８】
ステップ４０２：端末は、トランキング発言権申込要求を送信し、該要求メッセージは、ネットワークサブシステムによりトランキングスケジューリング管理センターに送信されて発言権の申込を行う。
【００５９】
ステップ４０３：トランキングスケジューリング管理センターは発言権申込を受信した後、端末を認証及び認可し、且つ所定のポリシー規則に基づいて現在のプリエンプト発言権端末及び占用している発言権端末の優先度を判定し、該プリエンプト端末の要求を受け入れるかどうかを判断する。
【００６０】
ステップ４０４：トランキングスケジューリング管理センターは認証及び認可の結果及びポリシー判定に基づいて、受け入れると、ネットワークサブシステムにトランキングコンテキスト作成要求を送信し、受け入れないと、ネットワークサブシステムにより端末にトランキングコンテキスト作成拒否を送信する。
【００６１】
ステップ４０５：ネットワークサブシステムは、トランキングコンテキスト作成要求を受信した後、ブロードバンド無線アクセスサブシステム、端末とインタラクションしてデフォルトベアラーの作成を完成する。
【００６２】
ステップ４０６：端末及びトランキングスケジューリング管理センターはＳＩＰメッセージ、又は私有プロトコルメッセージにより後にデータ伝達を必要とする設定等の情報を協議する。
【００６３】
ステップ４０７：端末は、ブロードバンド無線アクセスサブシステムによりトランキング専用発言権要求をネットワークサブシステムにトランスペアレントする。
【００６４】
ステップ４０８：ネットワークサブシステムは、トランキング専用発言権要求を受信した後、ブロードバンド無線アクセスサブシステム、端末とインタラクションしてトランキング専用ベアラーの作成を完成する。
【００６５】
ステップ４０９：ネットワークサブシステム及びトランキングスケジューリング管理センターは、トランキング発言権の情報更新を行う。
【００６６】
ステップ４１０：トランキングスケジューリング管理センターは、ネットワークサブシステムにトランキング発言権更新受け入れメッセージを送信し、ネットワークサブシステムは、ブロードバンド無線アクセスサブシステムにトランキング発言権更新受け入れメッセージを転送し、ブロードバンド無線アクセスサブシステムは、端末にトランキング発言権要求受け入れメッセージを送信する。
【００６７】
ステップ４１１：ネットワークサブシステムは、トランキングスケジューリング管理センターのトランキング発言権更新受け入れメッセージを受信した後、ブロードバンド無線アクセスサブシステムにトランキング発言権コンテキストの修正要求を送信し、発言権を占用している端末リソースのリリースを要求する。
【００６８】
ステップ４１２：ネットワークサブシステム、ブロードバンド無線アクセスサブシステム及び端末は、インタラクションしてグループが発言権端末を占用しているベアラー及びエアインタフェースリソースのリリースを完成する。
【００６９】
ステップ４１３：ブロードバンド無線アクセスサブシステムは、ネットワークサブシステムにトランキング発言権コンテキスト修正完成メッセージを返す。
【００７０】
ステップ４１４：ネットワークサブシステムは、ブロードバンド無線アクセスサブシステムに発言権占用のプロンプトメッセージを送信する。
【００７１】
ステップ４１５：ブロードバンド無線アクセスサブシステムは、ｅＭＢＭＳのマルチキャスト制御チャネルによりトランキンググループの端末にトランキング発言権占用のプロンプトメッセージ及び更新設定情報を送信する。
【００７２】
本発明の実施例の理解の便宜のため、以下、応用実施を例として本発明の実施例の実現を詳細に説明する。
【００７３】
図５を参照しながら、トランキング端末ＡはｅＮｏｄｅＢ１下にあり、トランキング端末ＢはｅＮｏｄｅＢ２下にあり、トランキング端末Ａ及び端末組Ｂは同一のＭＢＳＦＮ領域及びトランキンググループに属し、トランキング端末Ｂは従来、発言権を占用し、ＬＴＥブロードバンドトランキングシステムに基づく発言権プリエンプト過程は下記のステップを含む。
【００７４】
ステップ５０１：端末Ａはアイドル状態にあり、端末Ｂは発言権占用中にあり、端末Ａはトランキング発言権をプリエンプトすると、ユーザがＰＴＴキーを押す時、端末ＡはｅＮｏｄｅＢ１とランダムアクセス及びＲＲＣ接続作成のインタラクションを行う。
【００７５】
ステップ５０２：端末Ａは、ＭＭＥによりトランキングスケジューリング管理センターにトランキング発言権要求を送信し、該発言権申込メッセージは非アクセス層（Non Access Stratum、ＮＡＳ）によりメッセージカプセルし、トランキングセッション識別子を含む。
【００７６】
ステップ５０３：トランキングスケジューリング管理センターは、端末Ａのトランキング発言権要求を受信した後、端末Ａに対して認証及びトランキングユーザグループ内の情報確認を行い、端末Ａ及び端末Ｂの発言権優先度に基づいてポリシーの発言権付与を行い、ここでトランキングスケジューリング管理センターは付与して通過させる。
【００７７】
ステップ５０４：トランキングスケジューリング管理センターは、ＭＭＥにトランキングコンテキスト作成要求を送信する。
【００７８】
ステップ５０５：ＭＭＥは、ｅＮｏｄｅＢ１、トランキング端末Ａとデフォルトベアラーの作成を完成する。
【００７９】
ステップ５０６：端末Ａ及びトランキングスケジューリング管理センターは、ＳＩＰメッセージにより後続にデータ伝達を必要とするＱｏＳ、ＩＰアドレス及びポート番号等の情報を協議する。
【００８０】
ステップ５０７：トランキング端末Ａは、ｅＮｏｄｅ１によりトランキング専用発言権プリエンプト要求メッセージをＭＭＥにトランスペアレントする。
【００８１】
ステップ５０８：ＭＭＥは、ＳＧＷ、Ｐ−ＧＷとインタラクションしてユーザのベアラー作成を行う。
【００８２】
ステップ５０９：ＭＭＥは、ｅＮｏｄｅＢ１にトランキング専用発言権プリエンプトベアラー作成要求を送信する。
【００８３】
ステップ５１０：ｅＮｏｄｅＢ１は、専用発言権プリエンプトベアラー作成要求を受信した後、ＲＲＣ接続再設定の作成を行い、該再設定は、主に上りリンクの共有チャネルを設定し、下りリンクは、マルチキャスト下りリンクチャネルを使用する。
【００８４】
ステップ５１１：ｅＮｏｄｅＢ１の設定が完成後、ＭＭＥにトランキング専用発言権プリエンプトベアラー作成完成メッセージを返す。
【００８５】
ステップ５１２：ＭＭＥは、ＳＧＷにトランキング発言権更新請求を送信し、ＳＧＷは、ＭＭＥにトランキング発言権更新レスポンスメッセージを返す。
【００８６】
ステップ５１３：ＭＭＥは、ＭＢＭＳ−ＧＷによりトランキングスケジューリング管理センターにトランキング発言権更新請求を送信し、トランキングスケジューリング管理センターは、ＭＭＥにトランキング発言権更新受け入れ要求を返し、トランキング端末Ａの発言権申込を受け入れることを表す。
【００８７】
ステップ５１４：ＭＭＥは、ｅＮｏｄｅＢ１によりトランキング端末Ａにトランキング発言権要求受け入れメッセージを送信し、トランキング端末Ａは今回発言権を取ったと考える。
【００８８】
ステップ５１５：ＭＭＥは、ｅＮｏｄｅＢ２にトランキング発言権コンテキストの修正要求を送信して端末Ｂのベアラーコンテキストをリリースする。
【００８９】
ステップ５１６：ＭＭＥ及びｅＮｏｄｅＢ２は、端末Ｂのベアラーコンテキストをリリースする。
【００９０】
ステップ５１７：ｅＮｏｄｅＢ２は、端末Ｂに対してＲＲＣ接続リリースを行う。
【００９１】
ステップ５１８：ｅＮｏｄｅＢ２のリリースが完成後、ＭＭＥにトランキング発言権コンテキスト修正レスポンスメッセージを返す。
【００９２】
ステップ５１９：ＭＭＥは、それぞれｅＮｏｄｅＢ１及びｅＮｏｄｅＢ２にトランキング発言権占用プロンプトを送信する。
【００９３】
ステップ５２０：ｅＮｏｄｅＢ１及びｅＮｏｄｅＢ２は、ＭＢＳＦＮ領域の制御チャネルにより該トランキンググループ中の端末グループＢ及び他の端末発言権が占用されたことを通知し、且つ設定情報を更新する。
【００９４】
上記トランキングシステムアーキテクチャは、ｅＭＢＭＳ技術及びネットワークエレメントを結び付けて展開され、新しいネットワークエレメント設備を増加する必要がない場合、ｅＭＢＭＳ下りリンクのマルチキャスト技術を十分に利用することによりトランキングシステムのポイントツーマルチポイントの特性を満たすことができ、さらに一部のサブネットワークエレメントの機能を修正又は拡張するだけで、ＬＴＥに基づくブロードバンドデジタルトランキングシステムを展開することができ、後にパブリックネットワークと所定の融合を行うこともでき、同時にその基礎で発言権プリエンプトフローを実現することができる。
【００９５】
上記方法に対応して、本発明の実施例は、ＬＴＥに基づくブロードバンドトランキングシステム中に応用されるＭＭＥを更に提供しており、図６に示すように、該ＭＭＥは、
発言権プリエンプト端末、該発言権プリエンプト端末の所属の第１基地局及びトランキングスケジューリング管理センターとインタラクションすることにより、前記第１基地局と前記発言権プリエンプト端末との間のデフォルトベアラーの作成を完成するための第１作成モジュール６１、
前記第１基地局、該ＭＭＥとともに共通ネットワークサブシステムに位置するＳＧＷ及びＰ−ＧＷとインタラクションすることにより、トランキング専用発言権プリエンプトベアラーの作成を完成するための第２作成モジュール６２、
ＭＢＭＳ−ＧＷ、前記ＳＧＷ及び前記トランキングスケジューリング管理センターとインタラクションすることにより、トランキング発言権の更新を完成し、且つ前記第１基地局により前記発言権プリエンプト端末にトランキング発言権要求受け入れメッセージを送信するための更新モジュール６３、
発言権端末及び該発言権端末の所属の第２基地局とインタラクションすることにより、トランキング発言権コンテキスト修正を完成するための修正モジュール６４、及び
前記第１基地局及び前記第２基地局はＭＢＳＦＮ領域の制御チャネルによりトランキング領域内のすべての端末発言権占用及び更新設定情報を通知するように、前記第１基地局及び前記第２基地局にトランキング発言権占用プロンプトを送信するための占用モジュール６５を備える。
【００９６】
そのうち、前記第１作成モジュール６１は、
発言権プリエンプト端末が前記第１基地局により送信したトランキング発言権申込要求を受信し、且つ前記トランキングスケジューリング管理センターに該トランキング発言権申込要求を送信し、そのうち、前記トランキング発言権申込要求中には、トランキングセッション識別子を含み、及び、前記トランキングスケジューリング管理センターが送信したトランキングコンテキスト作成要求を受信し、且つ前記第１基地局及び前記発言権プリエンプト端末とインタラクションしてデフォルトベアラーの作成を完成し、そのうち、該トランキングコンテキスト作成要求は前記トランキングスケジューリング管理センターが該トランキング発言権申込要求を受信した後、前記発言権プリエンプト端末を認証、認可及びポリシー判定した後、送信したものであるという方式で、発言権プリエンプト端末、前記発言権プリエンプト端末の所属第１基地局及びトランキングスケジューリング管理センターとインタラクションすることにより、前記第１基地局と前記発言権プリエンプト端末との間のデフォルトベアラーの作成を完成することに用いられる。
【００９７】
前記第２作成モジュール６２は、
前記発言権プリエンプト端末が前記第１基地局によりトランスペアレントしたトランキング専用発言権プリエンプト要求メッセージを受信し、前記ＳＧＷ及び前記Ｐ−ＧＷとインタラクションして発言権ユーザのベアラー作成を行い、前記第１基地局にトランキング専用発言権プリエンプトベアラー作成要求を送信し、及び、前記第１基地局が前記トランキング専用発言権プリエンプトベアラー作成要求に基づいて設定を完成した後送信したトランキング専用発言権プリエンプトベアラー作成完成メッセージを受信するという方式で、前記第１基地局、前記ＭＭＥとともに共通ネットワークサブシステムに位置するＳＧＷ及びＰ−ＧＷとインタラクションすることにより、トランキング専用発言権プリエンプトベアラーの作成を完成することに用いられる。
【００９８】
前記更新モジュール６３は、
前記ＳＧＷにトランキング発言権更新請求を送信し、及び前記ＳＧＷが返したトランキング発言権更新レスポンスメッセージを受信し、前記ＭＢＭＳ−ＧＷにより前記トランキングスケジューリング管理センターにトランキング発言権更新請求を送信し、前記トランキングスケジューリング管理センターが返したトランキング発言権更新受け入れ要求を受信し、及び、前記第１基地局により前記発言権プリエンプト端末にトランキング発言権要求受け入れメッセージを送信するという方式で、ＭＢＭＳ−ＧＷが、前記ＳＧＷ及び前記トランキングスケジューリング管理センターとインタラクションすることにより、トランキング発言権の更新を完成し、且つ前記第１基地局により前記発言権プリエンプト端末にトランキング発言権要求受け入れメッセージを送信することに用いられる。
【００９９】
前記修正モジュール６４は、
前記第２基地局にトランキング発言権コンテキストの修正要求を送信し、前記第２基地局とともに該発言権端末のベアラーコンテキストをリリースし、及び、前記第２基地局が該発言権端末の接続をリリースし終わった後に返したトランキング発言権コンテキスト修正レスポンスメッセージを受信するという方式で、発言権端末及び前記発言権端末の所属の第２基地局とインタラクションすることにより、トランキング発言権コンテキストの修正を完成することに用いられる。
【０１００】
該ＭＭＥのワークフローは図５を参照する。
本発明の実施例はネットワークサブシステムを更に提供しており、図６に示すＭＭＥ、該ＭＭＥに接続するＳＧＷ、ＢＭ−ＳＣ及びＨＳＳ、前記ＢＭ−ＳＣに接続するＭＢＭＳ−ＧＷ、及び前記ＢＭ−ＳＣ及び前記ＳＧＷにいずれも接続するＰ−ＧＷを備え、そのうち、
該ＭＢＭＳ−ＧＷは、マルチキャストアドレスの保存、データディストリビューション及びトランキングサービスセッション制御コマンドの処理を担当することに用いられ、
該Ｐ−ＧＷは、トランキングスケジューリング管理センターが送信したトランキングサービスベアラー作成要求を受信し、及び、前記ＭＭＥが処理したＵＥが送信したトランキングサービス要求情報を前記トランキングスケジューリング管理センターに転送することに用いられ、及び
該ＨＳＳは、端末が属する基地局情報及び端末が属するグループの標識を保存することに用いられる。
【０１０１】
さらに、本発明の実施例はブロードバンド無線アクセスサブシステムを更に提供しており、マルチセル又はＭＣＥ及び複数の基地局を備え、そのうち、
前記基地局は、トランキングサービスセッションに無線ベアラーを作成し、且つ設定した無線ベアラー情報を該基地局がサービスする端末に通知することに用いられ、
前記ＭＣＥは、ＭＢＳＦＮ領域下で、前記基地局に対してＭＢＳＦＮ送信を行うトランキングサービスセッションの無線リソースの割当を担当することことに用いられる。
【０１０２】
そのうち、前記ＭＣＥは、ＭＭＥからのトランキングサービスセッションスタート要求を受信し、サービス品質に基づいて無線リソースのスケジューリング制御情報を生成し、且つ前記基地局に前記スケジューリング制御情報を送信することに更に用いられる。
【０１０３】
前記基地局は、前記ＭＭＥが送信したトランキング発言権コンテキストの修正要求を受信し、前記ＭＭＥとともに発言権端末のベアラーコンテキストをリリースし、該基地局がサービスする発言権端末に対してＲＲＣ接続リリースを行い、及び前記ＭＭＥにトランキング発言権コンテキストの修正要求レスポンスを返す、又は、前記ＭＭＥが送信したトランキング専用発言権プリエンプトベアラー作成要求を受信し、該基地局がサービスする発言権プリエンプト端末とＲＲＣ接続再設定の作成を行い、及び前記ＭＭＥにトランキング専用発言権プリエンプトベアラー作成完成メッセージを返すことに更に用いられる。
【０１０４】
上記ネットワークサブシステムとブロードバンド無線アクセスサブシステムとの間の接続関係は図１を参照し、両システム及びトランキングスケジューリング管理センターは互いに協力してブロードバンドデジタルトランキングシステムを実現することができ、且つ発言権プリエンプト機能を実現することができる。
【０１０５】
一般の当業者は、上記方法における全部又は一部のステップをプログラムによって関連ハードウェアに命令を出して完成させることができ、前記プログラムはコンピュータ読み取り可能な記憶媒体、例えば読取り専用メモリ、ディスク又は光ディスク等に記憶してもよいと理解することができる。選択肢として、上記実施例の全部又は一部のステップが１つ又は複数のＩＣにより実現されてもよい。それに対応して、上記実施例における各モジュール／ユニットはハードウェアの形式で実現されてもよく、ソフトウェア機能モジュールの形式で実現されてもよい。本発明の実施例はあらゆる特定形式のハードウェアとソフトウェアの組合せに限らない。
【０１０６】
以上の実施例は本発明の技術的解決手段を説明するためのものに過ぎず、制限するものではなく、好適な実施例のみを参照しながら本発明を詳細に説明した。一般の当業者は、本発明の技術的解決手段の趣旨及び範囲を逸脱することがなく、本発明の実施例の技術的解決手段を修正又は同等置換することができ、いずれも本発明の請求の範囲に含まれると理解することができる。
【産業上の利用可能性】
【０１０７】
本発明の実施例中において、新しいネットワークエレメント設備を増加する必要がない場合、ＬＴＥに基づくブロードバンドトランキングシステム及びＬＴＥブロードバンドトランキングシステムに基づく発言権プリエンプト過程を実現することができる。
【誤訳訂正２】
【訂正対象書類名】特許請求の範囲
【訂正対象項目名】全文
【訂正方法】変更
【訂正の内容】
【特許請求の範囲】
【請求項１】
ロングタームエボリューションＬＴＥに基づくブロードバンドトランキングシステムの発言権プリエンプトの実現方法であって、前記ＬＴＥに基づくブロードバンドトランキングシステムは、同一グループに位置する第１トランキング端末及び第２トランキング端末、ブロードバンド無線アクセスサブシステム、ネットワークサブシステム及びトランキングスケジューリング管理センターを備え、第１トランキング端末は前記ブロードバンド無線アクセスサブシステムの第１ｅＮｏｄｅＢ下にあり、第２トランキング端末は前記ブロードバンド無線アクセスサブシステムの第２ｅＮｏｄｅＢ下にあり、前記方法は、
前記第２トランキング端末が発言権占用中にある場合に、前記第１ｅＮｏｄｅＢは前記第１トランキング端末が送信したトランキング専用発言権プリエンプト要求メッセージを受信して、前記トランキング専用発言権プリエンプト要求メッセージを前記ネットワークサブシステムにおける移動管理エンティティ（ＭＭＥ）にトランスペアレントすることと、
前記第１ｅＮｏｄｅＢは前記移動管理エンティティ（ＭＭＥ）、前記移動管理エンティティ（ＭＭＥ）とともに同一のネットワークサブシステムに位置するＳＧＷ及びＰ−ＧＷとインタラクションすることにより、トランキング専用発言権プリエンプトベアラーの作成を完成することと、
前記第１ｅＮｏｄｅＢは前記移動管理エンティティ（ＭＭＥ）が送信したトランキング発言権要求受け入れメッセージを受信して、前記トランキング発言権要求受け入れメッセージを前記第１トランキング端末に送信し、前記移動管理エンティティ（ＭＭＥ）はＭＢＭＳ−ＧＷ、前記ＳＧＷ及び前記トランキングスケジューリング管理センターとインタラクションすることにより、トランキング発言権更新を完成した後、前記第１ｅＮｏｄｅＢに前記トランキング発言権要求受け入れメッセージを送信することと、
前記第２ｅＮｏｄｅＢ、前記移動管理エンティティ（ＭＭＥ）及び前記第２トランキング端末がインタラクションしてトランキング発言権コンテキストの修正を完成することと、
前記第１ｅＮｏｄｅＢと前記第２ｅＮｏｄｅＢは前記移動管理エンティティ（ＭＭＥ）が送信した発言権占用のプロンプトメッセージを受信し、且つ強化されたマルチメディア放送マルチキャストサービスｅＭＢＭＳのマルチキャスト制御チャネルによりトランキング領域内のすべてのトランキング端末にトランキング発言権占用のプロンプトメッセージ及び更新設定情報を送信することと
を含むロングタームエボリューションＬＴＥに基づくブロードバンドトランキングシステムの発言権プリエンプトの実現方法。
【請求項２】
前記第１ｅＮｏｄｅＢは前記第１トランキング端末が送信したトランキング専用発言権プリエンプト要求メッセージを受信する前、
前記第１ｅＮｏｄｅＢは前記第１トランキング端末が送信したトランキング発言権申込要求を受信して、前記トランキング発言権申込要求を前記移動管理エンティティ（ＭＭＥ）に送信し、前記移動管理エンティティ（ＭＭＥ）は前記トランキング発言権申込要求を受信した後、前記トランキング発言権申込要求を前記トランキングスケジューリング管理センターに送信し、前記トランキング発言権申込要求はトランキングセッション識別子を含むことと、
前記第１ｅＮｏｄｅＢは前記第１トランキング端末、前記移動管理エンティティ（ＭＭＥ）及び前記トランキングスケジューリング管理センターとインタラクションすることにより、デフォルトベアラーの作成を完成することとを更に含む請求項１に記載の方法。
【請求項３】
前記第１ｅＮｏｄｅＢが前記第１トランキング端末、前記移動管理エンティティ（ＭＭＥ）及び前記トランキングスケジューリング管理センターとインタラクションすることにより、デフォルトベアラーの作成を完成することは、 
前記移動管理エンティティ（ＭＭＥ）が、前記トランキングスケジューリング管理センターが送信したトランキングコンテキスト作成要求を受信し、前記第１ｅＮｏｄｅＢ及び前記第１トランキング端末とインタラクションしてデフォルトベアラーの作成を完成することを含み、そのうち、前記トランキングコンテキスト作成要求は、前記トランキングスケジューリング管理センターが前記トランキング発言権申込要求を受信した後、前記第１トランキング端末を認証、認可及びポリシー判定した後送信したものである請求項２に記載の方法。
【請求項４】
前記第１ｅＮｏｄｅＢが前記移動管理エンティティ（ＭＭＥ）、前記移動管理エンティティ（ＭＭＥ）とともに同一のネットワークサブシステムに位置するＳＧＷ及びＰ−ＧＷとインタラクションすることにより、トランキング専用発言権プリエンプトベアラーの作成を完成することは、  
前記第１ｅＮｏｄｅＢが前記トランキング専用発言権プリエンプト要求メッセージをＭＭＥにトランスペアレントすることと、
前記移動管理エンティティ（ＭＭＥ）と前記ＳＧＷ、前記Ｐ−ＧＷがインタラクションして第１トランキング端末のベアラー作成を完成した後、前記第１ｅＮｏｄｅＢは前記移動管理エンティティ（ＭＭＥ）が送信したトランキング専用発言権プリエンプトベアラー作成要求を受信することと、
前記第１ｅＮｏｄｅＢが前記トランキング専用発言権プリエンプトベアラー作成要求に基づいて設定を完成した後、前記移動管理エンティティ（ＭＭＥ）にトランキング専用発言権プリエンプトベアラー作成完成メッセージを送信することとを含む請求項１〜３のいずれか一つに記載の方法。
【請求項５】
前記第２ｅＮｏｄｅＢ、前記移動管理エンティティ（ＭＭＥ）及び前記第２トランキング端末がインタラクションしてトランキング発言権コンテキストの修正を完成することは、
前記第２ｅＮｏｄｅＢは前記移動管理エンティティ（ＭＭＥ）が送信したトランキング発言権コンテキストの修正要求を受信することと、
前記第２ｅＮｏｄｅＢと前記移動管理エンティティ（ＭＭＥ）が前記第２トランキング端末のベアラーコンテキストをリリースすることと、
前記第２ｅＮｏｄｅＢが前記第２トランキング端末に対してＲＲＣ接続リリースを行った後、前記移動管理エンティティ（ＭＭＥ）にトランキング発言権コンテキスト修正レスポンスメッセージを返すこととを含む請求項１〜３のいずれか一つに記載の方法。
【請求項６】
ロングタームエボリューションＬＴＥに基づくブロードバンドトランキングシステム中に応用される移動管理エンティティＭＭＥであって、  
第１トランキング端末、前記第１トランキング端末の所属の第１ｅＮｏｄｅＢ及びトランキングスケジューリング管理センターとインタラクションすることにより、前記第１ｅＮｏｄｅＢと前記第１トランキング端末との間のデフォルトベアラーの作成を完成するように設定される第１作成モジュールと、
前記第１ｅＮｏｄｅＢ、前記ＭＭＥとともに同一ネットワークサブシステムに位置するサービスゲートウェイＳＧＷ及びパケットデータネットワークゲートウェイＰ−ＧＷとインタラクションすることにより、トランキング専用発言権プリエンプトベアラーの作成を完成するように設定される第２作成モジュールと、
マルチメディア放送マルチキャストサービスゲートウェイＭＢＭＳ−ＧＷ、前記ＳＧＷ及び前記トランキングスケジューリング管理センターとインタラクションすることにより、トランキング発言権更新を完成し、且つ前記第１ｅＮｏｄｅＢにより前記第１トランキング端末にトランキング発言権要求受け入れメッセージを送信するように設定される更新モジュールと、
第２トランキング端末及び前記第２トランキング端末の所属の第２ｅＮｏｄｅＢとインタラクションすることにより、トランキング発言権コンテキスト修正を完成するように設定される修正モジュールと、
前記第１ｅＮｏｄｅＢ及び前記第２ｅＮｏｄｅＢがマルチキャスト放送単一周波数ネットワークＭＢＳＦＮ領域の制御チャネルによりトランキング領域内のすべてのトランキング端末に発言権占用及び更新設定情報を通知するように、前記第１ｅＮｏｄｅＢ及び前記第２ｅＮｏｄｅＢにトランキング発言権占用プロンプトを送信するように設定される占用モジュールと
を備える移動管理エンティティＭＭＥ。
【請求項７】
前記第１作成モジュールは、
前記第１トランキング端末が前記ｅＮｏｄｅＢにより送信したトランキング発言権申込要求を受信し、且つ前記トランキングスケジューリング管理センターに前記トランキング発言権申込要求を送信し、そのうち、前記トランキング発言権申込要求にはトランキングセッション識別子を含み、及び
前記トランキングスケジューリング管理センターが送信したトランキングコンテキスト作成要求を受信し、且つ前記第１ｅＮｏｄｅＢ及び前記第１トランキング端末とインタラクションしてデフォルトベアラーの作成を完成し、そのうち、前記トランキングコンテキスト作成要求は前記トランキングスケジューリング管理センターが前記トランキング発言権申込要求を受信した後、前記第１トランキング端末を認証、認可及びポリシー判定した後送信したものである、という方式で、第１トランキング端末、前記第１トランキング端末の所属の第１ｅＮｏｄｅＢ及びトランキングスケジューリング管理センターとインタラクションすることにより、前記第１ｅＮｏｄｅＢと前記第１トランキング端末との間のデフォルトベアラーの作成を完成するように設定される請求項６に記載のＭＭＥ。
【請求項８】
前記第２作成モジュールは、
前記第１トランキング端末が前記第１ｅＮｏｄｅＢによりトランスペアレントしたトランキング専用発言権プリエンプト要求メッセージを受信し、
前記ＳＧＷ及び前記Ｐ−ＧＷとインタラクションして発言権ユーザのベアラー作成を行い、
前記第１ｅＮｏｄｅＢにトランキング専用発言権プリエンプトベアラー作成要求を送信し、及び
前記第１ｅＮｏｄｅＢが前記トランキング専用発言権プリエンプトベアラー作成要求に基づいて設定を完成した後送信したトランキング専用発言権プリエンプトベアラー作成完成メッセージを受信する、
という方式で、前記第１ｅＮｏｄｅＢ、前記ＭＭＥとともに同一ネットワークサブシステムに位置するＳＧＷ及びＰ−ＧＷとインタラクションすることにより、トランキング専用発言権プリエンプトベアラーの作成を完成するように設定される請求項６に記載のＭＭＥ。
【請求項９】
前記更新モジュールは、
前記ＳＧＷにトランキング発言権更新請求を送信し、及び前記ＳＧＷが返したトランキング発言権更新レスポンスメッセージを受信し
前記ＭＢＭＳ−ＧＷにより前記トランキングスケジューリング管理センターにトランキング発言権更新請求を送信し、前記トランキングスケジューリング管理センターが返したトランキング発言権更新受け入れ要求を受信し、及び
前記第１ｅＮｏｄｅＢにより前記第１トランキング端末に前記トランキング発言権要求受け入れメッセージを送信する
という方式で、ＭＢＭＳ−ＧＷ、前記ＳＧＷ及び前記トランキングスケジューリング管理センターとインタラクションすることにより、トランキング発言権更新を完成し、且つ前記第１ｅＮｏｄｅＢにより前記第１トランキング端末にトランキング発言権要求受け入れメッセージを送信するように設定される請求項６に記載のＭＭＥ。
【請求項１０】
前記修正モジュールは、
前記第２ｅＮｏｄｅＢにトランキング発言権コンテキストの修正要求を送信し、
前記第２ｅＮｏｄｅＢとともに前記第２トランキング端末のベアラーコンテキストをリリースし、及び
前記第２ｅＮｏｄｅＢが前記第２トランキング端末のＲＲＣ接続をリリースし終わった後返したトランキング発言権コンテキスト修正レスポンスメッセージを受信する
という方式で、第２トランキング端末及び前記第２トランキング端末の所属の第２ｅＮｏｄｅＢとインタラクションすることにより、トランキング発言権コンテキスト修正を完成するように設定される請求項６に記載のＭＭＥ。
【請求項１１】
移動管理エンティティＭＭＥ、該ＭＭＥに接続するサービスゲートウェイＳＧＷ、放送マルチキャストサービスセンターＢＭ−ＳＣ及びホームユーザサーバＨＳＳ、前記ＢＭ−ＳＣに接続するマルチメディア放送マルチキャストサービスゲートウェイＭＢＭＳ−ＧＷ、及び前記ＢＭ−ＳＣ及び前記ＳＧＷにいずれも接続するパケットデータネットワークゲートウェイＰ−ＧＷを備え、そのうち、
前記ＭＭＥは、請求項６〜１０のいずれか一つに記載のＭＭＥであり、
前記ＭＢＭＳ−ＧＷは、マルチキャストアドレス保存、データディストリビューション及びトランキングサービスセッション制御コマンドの処理を担当するように設定され、
前記Ｐ−ＧＷは、トランキングスケジューリング管理センターが送信したトランキングサービスベアラー作成要求を受信し、及び、前記ＭＭＥが処理したユーザ装置ＵＥが送信したトランキングサービス要求情報を前記トランキングスケジューリング管理センターに転送するように設定され、及び
前記ＨＳＳは、端末が属するｅＮｏｄｅＢ情報及び端末が属するグループの標識を保存するように設定されるネットワークサブシステム。
【請求項１２】
マルチセル又はマルチキャスト協働エンティティＭＣＥ及び少なくとも第１ｅＮｏｄｅＢと第２ｅＮｏｄｅＢを備え、そのうち、
前記第１ｅＮｏｄｅＢと前記第２ｅＮｏｄｅＢは、トランキングサービスセッションに無線ベアラーを作成し、且つ設定した無線ベアラー情報を前記第１ｅＮｏｄｅＢと前記第２ｅＮｏｄｅＢがサービスする端末に通知するように設定され、及び
前記ＭＣＥは、マルチキャスト放送単一周波数ネットワークＭＢＳＦＮ領域下で、前記第１ｅＮｏｄｅＢと前記第２ｅＮｏｄｅＢに対してＭＢＳＦＮ送信のトランキングサービスセッションの無線リソースの割当を担当するように設定され、
前記第１ｅＮｏｄｅＢは更に、
前記第２トランキング端末が発言権占用中にある場合に、前記第１トランキング端末が送信したトランキング専用発言権プリエンプト要求メッセージを受信して、前記トランキング専用発言権プリエンプト要求メッセージを前記ネットワークサブシステムにおける移動管理エンティティ（ＭＭＥ）にトランスペアレントし、
前記移動管理エンティティ（ＭＭＥ）、前記移動管理エンティティ（ＭＭＥ）とともに同一のネットワークサブシステムに位置するＳＧＷ及びＰ−ＧＷとインタラクションし、トランキング専用発言権プリエンプトベアラーの作成を完成し、
前記移動管理エンティティ（ＭＭＥ）が送信したトランキング発言権要求受け入れメッセージを受信して、前記トランキング発言権要求受け入れメッセージを前記第１トランキング端末に送信し、前記移動管理エンティティ（ＭＭＥ）がＭＢＭＳ−ＧＷ、前記ＳＧＷ及び前記トランキングスケジューリング管理センターとインタラクションすることにより、トランキング発言権更新を完成した後、前記トランキング発言権要求受け入れメッセージを送信するように設定され、
前記第２ｅＮｏｄｅＢは更に、前記移動管理エンティティ（ＭＭＥ）、前記第２トランキング端末とインタラクションしてトランキング発言権コンテキストの修正を完成するように設定され、
前記第１ｅＮｏｄｅＢと前記第２ｅＮｏｄｅＢは更に、前記移動管理エンティティ（ＭＭＥ）が送信した発言権占用のプロンプトメッセージを受信して、強化されたマルチメディア放送マルチキャストサービスｅＭＢＭＳのマルチキャスト制御チャネルによりトランキング領域内のすべてのトランキング端末にトランキング発言権占用のプロンプトメッセージ及び更新設定情報を送信するように設定されるブロードバンド無線アクセスサブシステム。
【請求項１３】
前記ＭＣＥは、移動管理エンティティＭＭＥからのトランキングサービスセッションスタート要求を受信し、サービス品質に基づいて無線リソースのスケジューリング制御情報を生成し、且つ前記第１ｅＮｏｄｅＢと前記第２ｅＮｏｄｅＢに前記スケジューリング制御情報を送信するようにさらに設定される請求項１２に記載のブロードバンド無線アクセスサブシステム。
【請求項１４】
前記第２ｅＮｏｄｅＢ基地局は更に、
前記ＭＭＥが送信したトランキング発言権コンテキストの修正要求を受信し、前記ＭＭＥとともに第２トランキング端末のベアラーコンテキストをリリースし、前記第２ｅＮｏｄｅＢがサービスする第２トランキング端末に対して無線リソース制御ＲＲＣ接続リリースを行い、及び前記ＭＭＥにトランキング発言権コンテキストの修正要求レスポンスを返すように設定され、及び
前記第１ｅＮｏｄｅＢは更に、
前記ＭＭＥが送信したトランキング専用発言権プリエンプトベアラー作成要求を受信し、前記第１ｅＮｏｄｅＢがサービスする第１トランキング端末とＲＲＣ接続再設定の作成を行い、及び前記ＭＭＥにトランキング専用発言権プリエンプトベアラー作成完成メッセージを返すように設定される請求項１２に記載のブロードバンド無線アクセスサブシステム。
【請求項１５】
順に接続されるトランキング端末、ブロードバンド無線アクセスサブシステム、ネットワークサブシステム及びトランキングスケジューリング管理センター、及び前記ブロードバンド無線アクセスサブシステム及び前記ネットワークサブシステムにいずれも接続する操作メインテナンスサブシステムを備え、そのうち、
前記ブロードバンド無線アクセスサブシステムは、請求項１２〜１４のいずれか一つに記載のブロードバンド無線アクセスサブシステムであり、
前記ネットワークサブシステムは、請求項１１に記載のネットワークサブシステムであり、
前記トランキングスケジューリング管理センターは、トランキングサービス発言権管理及びスケジューリング、トランキングシングルコール又はグループコールの許可管理、トランキングサービスのサービスタイプの割り当て及びトランキングサービスのサービス品質設定を完成することを担当するように設定され、及び
前記操作メインテナンスサブシステムは、トランキングユーザのアカウント作成、アカウントキャンセル及びトランキングユーザサービス権限の各種の操作を完成し、及び前記ブロードバンド無線アクセスサブシステム及び前記ネットワークサブシステムの設備に対してパラメータの設定及び性能と安全の管理を行うことを担当するように設定されるロングタームエボリューションＬＴＥに基づくブロードバンドトランキングシステム。
【請求項１６】
前記ネットワークサブシステムと前記トランキングスケジューリング管理センターとの間に位置するインタネットプロトコルマルチメディアサブシステムＩＭＳを更に備え、そのうち、
前記ＩＭＳはトランキング機能にプロトコル及びフローバックアップを提供するように設定される請求項１５に記載のブロードバンドトランキングシステム。
【誤訳訂正３】
【訂正対象書類名】図面
【訂正対象項目名】図１
【訂正方法】変更
【訂正の内容】
【図１】
2015537453.tif 000001
【誤訳訂正４】
【訂正対象書類名】図面
【訂正対象項目名】図２
【訂正方法】変更
【訂正の内容】
【図２】
2015537453.tif 000002
【誤訳訂正５】
【訂正対象書類名】図面
【訂正対象項目名】図３
【訂正方法】変更
【訂正の内容】
【図３】
2015537453.tif 000003
【誤訳訂正６】
【訂正対象書類名】図面
【訂正対象項目名】図４
【訂正方法】変更
【訂正の内容】
【図４】
2015537453.tif 000004
【誤訳訂正７】
【訂正対象書類名】図面
【訂正対象項目名】図５
【訂正方法】変更
【訂正の内容】
【図５】
2015537453.tif 000005